(57)【要約】  室を有する包装資材であって、室が複数の対応する製品を収容し、製品は、そのような数の製品が室をほぼ完全に満たすように寸法付けられ、包装資材が少なくとも１つの除去可能部を備え、除去可能部は、この少なくとも１つの除去可能部を包装資材から除去できるように寸法付けられて、拡張形状をとるように再配置されるとともに、室内に配置されることにより、複数のそのような製品が室をほぼ完全に満たすという特徴を保持しつつ、収容される製品の体積のｎ倍だけ製品のために利用できる室の容積を減らす作用を有し、ｎは整数である、包装資材。
2018502790.tif 000002
【特許請求の範囲】
【請求項１】
室を有する包装資材であって、前記室が複数の対応する製品を収容し、前記製品は、そのような数の製品が前記室をほぼ完全に満たすように寸法付けられ、前記包装資材が少なくとも１つの除去可能部を備え、前記除去可能部は、前記少なくとも１つの除去可能部を前記包装資材から除去できるように寸法付けられて、拡張形状をとるように再配置されるとともに、前記室内に配置されることにより、複数の前記製品が前記室をほぼ完全に満たすという特徴を保持しつつ、収容される製品の体積のｎ倍だけ前記製品のために利用できる前記室の容積を減らす作用を有し、ｎは整数であることを特徴とする包装資材。
【請求項２】
各除去可能部は、１〜３０個の製品、より好ましくは１〜１４個の製品、最も好ましくは２〜６個の製品によって利用できる容積を減らす、請求項１に記載の包装資材。
【請求項３】
前記室が平行六面体である、請求項１または２に記載の包装資材。
【請求項４】
前記製品が平行六面体である、請求項１から３のいずれか一項に記載の包装資材。
【請求項５】
前記除去可能部の除去が前記室の利用できる容積を変えない、請求項１から４のいずれか一項に記載の包装資材。
【請求項６】
前記除去可能部は、前記包装資材の一方側、好ましくは前記包装資材の上面の少なくとも一部を形成する、請求項１から５のいずれか一項に記載の包装資材。
【請求項７】
各除去可能部はそれぞれ、事前の折り目を備えるボール紙の平坦なシートである、請求項１から６のいずれか一項に記載の包装資材。
【請求項８】
前記除去可能部の数が１〜４個、好ましくは２個である、請求項１から７のいずれか一項に記載の包装資材。
【請求項９】
各除去可能部は、脆弱領域、好ましくはミシン目によって前記包装資材に取り付けられる、請求項１から８のいずれか一項に記載の包装資材。
【請求項１０】
各除去可能部が複数の拡張形状の形態を成すことができ、各拡張形状は、前記室の容積を異なる大きさだけ減らす、請求項１から９のいずれか一項に記載の包装資材。
【請求項１１】
前記室は、複数の対応する製品、好ましくは全てが同じ種類の製品で満たされる、請求項１から１０のいずれか一項に記載の包装資材。
【請求項１２】
前記室は、４〜１００個の製品、好ましくは６〜５０個の製品、より好ましくは１０〜３０個の製品を収容する、請求項１１に記載の包装資材。
【請求項１３】
前記包装資材は、好ましくは複数の種類を含む複数の対応する製品と、拡張形状を成す少なくとも１つの除去可能部との組み合わせで満たされる、請求項１から１０のいずれか一項に記載の包装資材。
【請求項１４】
各対応する製品は、飲料材料、好ましくは茶葉またはコーヒー、より好ましくは茶葉のカプセルを備える、請求項１から１３のいずれか一項に記載の包装資材。
【請求項１５】
オーダーメイドの注文をした消費者に合わせてオーダーメイド製品の包装資材を調製する方法であって、
ａ．複数の製品を収容する請求項１から１４のいずれか一項に記載の包装資材を得るステップと、
ｂ．前記包装資材から複数の製品を除去するステップと、
ｃ．ステップｂにおいて除去された数よりも少ない数の種類の製品をオーダーメイドの注文にしたがって前記包装資材に加えるステップと、
ｄ．少なくとも１つの除去可能部を前記包装資材から除去するステップと、
ｅ．除去された前記除去可能部を拡張形状をとるように再配置するとともに、前記除去可能部を前記包装資材内に配置して、除去された前記製品の数と加えられた前記製品の数との間の容積の差分を埋めるステップと、
を含むことを特徴とする方法。
【発明の詳細な説明】
【技術分野】
【０００１】
本発明は、複数の対応する製品、特にオーダーメイド注文の製品を収容する室を有する包装資材に関する。
【背景技術】
【０００２】
製品が工場で製造される際には、取り扱いを容易にするために、しばしば、複数の製品がグループを成して一緒に包装される。これは、特に、製造されるべき製品が消耗品などの比較的小さい場合に当てはまる。特に、工場が様々な種類の製品を製造する場合には、単一の種類の製品のグループを一緒に包装することが典型的である。この方法が、がより簡単で費用効率がより高いからである。例えば、製品が食品であれば、同じ風味またはレシピの製品のグループが一緒に包装される場合がある。
【０００３】
時として、工場は、単一グループ包装において様々な種類を含む詰め合わせタイプの包装を行なう。しかしながら、そのような詰め合わせは、一般に、消費者への販売を目的としており、グループ包装でそれら自体が一緒に包装される場合がある。
【０００４】
そのような製品群は、その後、卸売業者へ、または、より最近ではｅコマース配送業者へ都合良く出荷され得る。
【０００５】
通常の状況下で、卸売業者は、工場で包装された製品群を工場包装のまま小売業者へ販売する。通常、小売業者はその後で、販売のためにグループ包装から製品を取り出す。
【０００６】
しかしながら、配送業者は、オーダーメイドのサービスをオンライン消費者へ提供したい場合がある。そのようなシナリオにおいて、配送業者は、オーダーメイドの注文品を用意して消費者への配送のためにオーダーメイドの注文品を包装する前に工場での包装資材から製品を取り出す。
【０００７】
特に、いくつかのタイプの製品に関して、配送業者は、一般の人々が自分達の家庭へ配送してもらいたいと思う種類の組み合わせを自分自身で選択できる可能性を一般の人々に与えたい場合がある。この場合、注文された種類は、その注文にしたがって配送業者により選択され、また、それらのオーダーメイドの注文品は、新たな包装資材内に配置されて、消費者へ配送される。
【０００８】
注文がオーダーメイドであるため、配送業者により包装されるべき製品の数は、グループ包装内に存在する製品の数とは必然的に異なる。
【０００９】
この場合、同じ種類の製品を一緒にグループ化する工場からの包装資材は、配送業者に役立つとはもはや見なされず、廃棄される。その後、配送業者は、自分達自身の包装資材を使用してオーダーメイドの注文品を用意し、また、注文サイズに基づいて包装資材が選択される場合がある。これは、工場グループ包装の無駄遣いである。
【００１０】
例えば、典型的なピックバイライト（pick-by-light）システムでは、配送カートンまたは荷物に貼り付けられたバーコード付きの宛名ラベルを作業者が走査する領域の初めにおいて、選別シーケンスが開始される。ディスプレイは、いずれの製品をそれぞれいくつずつ選別すべきかを作業者に知らせる。
【００１１】
業界で幅広く使用されるピックトゥライト（pick-to-light）システムは、多くの包装資材の廃棄物をもたらす。これは、製品がピックトゥライトラック内に配置される前に、工場から使用された包装資材が除去されて廃棄されるからである。その後、ピッカーは、消費者の注文品を包装するために、異なる注文量に合わせてしばしば異なるサイズのボックスを有する、例えば５個の製品のためのボックス、１０個の製品のためのボックス、１５個の製品のためのボックス等を有する新たな包装資材を使用する。
【００１２】
特許文献１は、積み重ね可能な表示包装資材を製造するための輸送包装を開示し、この場合、包装資材の一部を包装資材内に挿入できる。
【００１３】
特許文献２は、ディバイダを受け入れるために容器内にスロットを設けるべく再配置され得る組み合わせ配送業者カートンを開示する。
【先行技術文献】
【特許文献】
【００１４】
【特許文献１】国際公開第２０１１／３２７３５号
【特許文献２】加国特許第２０１０８３３号
【発明の概要】
【課題を解決するための手段】
【００１５】
第１の態様において、本発明は、室を有する包装資材に関し、室は複数の対応する製品を収容し、製品は、そのような数の製品が室をほぼ完全に満たすように寸法付けられ、包装資材が少なくとも１つの除去可能部を備え、除去可能部は、この少なくとも１つの除去可能部を包装資材から除去できるように寸法付けられて、拡張形状をとるように再配置されるとともに、室内に配置されることにより、複数の前記製品が室をほぼ完全に満たすという特徴を保持しつつ、収容される製品の体積のｎ倍だけ製品のために利用できる室の容積を減らす作用を有し、ｎが整数である。
【００１６】
したがって、本発明は、包装資材を複数の対応する製品でほぼ満たすことができるとともに、包装資材を空にして更に少ない数の対応する製品で再び満たすことができることを提供する。室内の残りの空間は、少なくとも１つの除去可能部の存在によって埋められる。そのため、包装資材は、工場で包装されたグループ包装を配送業者へ引き渡すために使用され得る。配送業者は、その後、オーダーメイドの注文品を包装するために、注文品が包装資材を満たさない製品の数である場合でさえ、包装資材の中身を取り除いて包装資材を空にし、容器を再使用することができる。
【００１７】
「室をほぼ完全に満たす」とは、十分な数の製品が包装資材内にぴったりと嵌まり、収容された製品の移動の自由度が残っていないことを意味する。
【００１８】
用語「除去可能」とは、包装資材または除去可能部に対する損傷を引き起こすことなく例えば包装資材の本体から除去可能部を引き離すことによって包装資材から除去可能部を綺麗にきちんと除去できるようにする特徴を除去可能部が備えることを意味する。
【００１９】
本発明は、例えば飲料機による抽出のためにカプセル内に収容されるコーヒー製品または茶製品、好ましくは茶葉などのオーダーメイドの消費者製品の注文に対して特定の適用可能性を有する。
【００２０】
各除去可能部は、１〜３０個の製品、より好ましくは１〜１４個の製品、最も好ましくは２〜６個の製品によって利用できる容積を減らすことが好ましい。
【００２１】
包装資材は、多種多様な材料から形成されてもよいが、一般的には、ボール紙から形成されて、保管のために略平坦な形状をとることができる。
【００２２】
包装資材は様々な形状およびサイズをとってもよいが、一般的には、室が平行六面体である。
【００２３】
製品は様々な形状およびサイズをとってもよいが、一般的には、製品は平行六面体である。
【００２４】
好ましくは、除去可能部の除去が室の利用できる容積を変えない。
【００２５】
除去可能部は、包装資材の一方側の少なくとも一部、好ましくは包装資材の上面の一部または全部を形成することが好ましい。好ましくは、少なくとも１つの除去可能部はそれぞれ、事前の折り目を備えるボール紙の平坦なシートである。
【００２６】
包装資材は、必要に応じて任意の数の除去可能部を有してもよいが、本発明は、除去可能部の数が１〜４個、好ましくは２個であるときに特に有効であることを見出した。
【００２７】
１つの特定の実施形態では、２つの除去可能部が存在し、これらの除去可能部がそれらの間で包装資材のほぼ全体の面を形成する。
【００２８】
少なくとも１つの除去可能部は、脆弱領域、好ましくはミシン目によって包装資材に取り付けられることが好ましい。
【００２９】
前述したように、包装資材は複数の対応する製品を収容する。したがって、最初の好ましい実施形態では、包装資材が複数の対応する製品で満たされる。例えば、これは、包装資材が工場から離れて、好ましくは全て同じ種類である状態である。
【００３０】
この実施形態において、包装資材の室は、容積の減少前に、４〜１００個の製品、好ましくは６〜５０個の製品、より好ましくは１０〜３０個の製品を収容することが好ましい。製品のこの数は、任意の数の製品に関するオーダーメイドの注文を除去可能部によりもたらされる容積の減少によって更に容易に満たすことができることを意味する。
【００３１】
製品が平行六面体であるとともに、そのような製品の数が室をほぼ完全に満たすように製品が寸法付けられるときに本発明が特に有効であることが分かった。
【００３２】
したがって、その後の好ましい実施形態において、包装資材は、複数の対応する製品と、少なくとも１つのその拡張形状を成す除去可能部との組み合わせで満たされる。好ましくは、製品は、複数の異なる種類、例えば複数の異なる茶葉タイプを含む。
【００３３】
好ましい実施形態では、各除去可能部が複数の拡張形状の形態、好ましくは２つの拡張形状を成すことができ、各拡張形状は、室の容積を異なる大きさだけ減らす。特に好ましい実施形態において、各除去可能部は、２つの製品の体積を有する第１の拡張形状と、４つの製品の体積を有する第２の拡張形状とをとることができる。
【００３４】
第２の態様において、本発明は、オーダーメイドの注文をした消費者に合わせてオーダーメイド製品の包装資材を調製する方法に関し、この方法は、
ａ．複数の製品を収容する本明細書中に記載される包装資材を得るステップと、
ｂ．包装資材から複数の製品を除去するステップと、
ｃ．ステップｂにおいて除去された数よりも少ない数の種類の製品をオーダーメイドの注文にしたがって包装資材に加えるステップと、
ｄ．少なくとも１つの除去可能部を包装資材から除去するステップと、
ｅ．除去された除去可能部を拡張形状をとるように再配置するとともに、その除去可能部を包装資材内に配置して、除去された製品の数と加えられた製品の数との間の容積の差分を埋めるステップと
を含む。
【００３５】
ここで、以下の図に関連して、本発明を一例として説明する。
【図面の簡単な説明】
【００３６】
【図１】複数の対応する製品を収容する本発明に係る包装資材の図である。
【図２】１つのパネルが除去された図１に示される包装資材の図である。
【図３】第２のパネルが除去された図２に示される包装資材の図である。
【図４】除去されたパネルが隣接している状態の図３の包装資材の図である。
【図５】製品が除去されて一方の除去されたパネルが再配置された図４の包装資材の図である。
【図６】再配置されたパネルが包装資材内に配置された図５の包装資材の図である。
【図７】複数の対応する製品が包装資材内に配置された図６の包装資材の図である。
【図８】密閉包装を行なうために新たなカバーが付加される図７の包装資材の図である。
【図９】複数の対応する製品を収容する包装資材の概略平面図である。
【図１０】再配置包装要素が付加された、１４個の対応する製品を収容する包装資材の概略平面図である。
【図１１】１つまたは２つの再配置包装要素が付加された、１２個の対応する製品を収容する２つの包装資材の概略平面図である。
【図１２】再配置包装要素が付加された、１０個の対応する製品を収容する包装資材の概略平面図である。
【図１３】２つの再配置包装要素が付加された、８個の対応する製品を収容する包装資材の概略平面図である。
【発明を実施するための形態】
【００３７】
図を参照すると、図１に示されるように、製茶工場では、茶葉を収容するカプセルが平行六面体のパッケージ１内またはカートン内に包装され、パッケージまたはカートンはそれぞれ同じタイプの茶葉の複数のカプセルを収容する。１６個のそのような平行六面体のカートンは、８個のパッケージの２つの隣接する列を成して本発明に係る平行六面体の包装資材２内またはケース内に配置される。例えば、包装資材は１６個のパッケージを収容することができ、パッケージのそれぞれは１２個の茶葉のカプセルを収容し、１２×１６個のカプセルの全ては同じ茶葉タイプのものである。図示のように、１６個のパッケージは、パッケージのいずれも包装資材内で自由に移動できないように包装資材の室をほぼ完全に満たす。
【００３８】
ケース蓋が閉じられるが密閉／テーピングされない。その後、ケースは、パレット上に配置されて荷造り業者へ送られる。
【００３９】
荷造り業者においては、図２〜図４に示されるように、荷造り業者は、ケースをパレットから除去して、ミシン目の付いた蓋フラップ４，６をケースから「剥ぎ取る」とともに、それらの蓋フラップをその後のために確保しておく。その後、ケースは、製品が依然としてケース内にある状態でピックトゥライトラックの背部へと配置される（時間を節約して、製品の取り扱いを最小限に抑える）。
【００４０】
オーダーメイドの注文がとられると、ピックトゥライトラックの前方で、ピッカーは、図５に示されるような空のケース（予め空にされた）を使用して、消費者の注文にしたがって異なる風味の茶葉を選別する。
【００４１】
消費者が１６個のカートンを注文する場合には、ケースが当初から１６個のカートン用に寸法付けられているため、ケースの適合が必要とされない。消費者は、８個から１６個までの２の倍数で、例えば８、１０、１２、１４、１６個を注文できる。
【００４２】
ケース内の空所／空間を満たすために、ピッカーは、前もって除去された蓋フラップ４，６を再使用して、それらの蓋フラップを事前に入れられたミシン目に沿って折り曲げてケース内に挿入する。図５に示されるように、蓋フラップ４，６は、それらを４個または２個のカートンの空所を満たすべく折り曲げることができるように特定のミシン目を有する。図５および図６に示されるように、１つのフラップは、茶葉の４つのカートンの体積を占めるように折り曲げられている。
【００４３】
図７に示されるように、オーダーメイドの注文の１２個のカートンが包装資材の残りの容積を満たす。注文が終了すると、新たな上等な蓋が、図８に示されるようにケース上にわたって配置されて、消費者の宛名ラベルと共に結束され、いつでも消費者へ送れる状態となる。したがって、包装資材は、複数のそのような製品、この場合には１２個の製品が包装資材の室をほぼ完全に満たすという特徴を保持している。
【００４４】
この配置によれば、８、１０、１２、１４、１６個からの全ての想定し得る注文を受け入れることができる。図９は、１６個のカートンの注文がある場合の配置を示し、図１０は１４個のカートンのためのものであり、図１１は、１２個のカートンのための２つの異なる想定し得る形態を示し、図１２は、１０個のカートンのための形態を示し、また、図１３は、８個のカートンのための形態を示す。いずれの場合にも、包装資材の利用できる容積の全ては、製品１または拡張フラップ４，６の組み合わせによって埋められる。
【符号の説明】
【００４５】
１  カートン（パッケージ）
２  包装資材（ケース）
４，６  蓋フラップ
【図１】
2018502790.tif 000003
【図２】
2018502790.tif 000004
【図３】
2018502790.tif 000005
【図４】
2018502790.tif 000006
【図５】
2018502790.tif 000007
【図６】
2018502790.tif 000008
【図７】
2018502790.tif 000009
【図８】
2018502790.tif 000010
【図９】
2018502790.tif 000011
【図１０】
2018502790.tif 000012
【図１１】
2018502790.tif 000013
【図１２】
2018502790.tif 000014
【図１３】
2018502790.tif 000015
【国際調査報告】
2018502790.tif 000016
2018502790.tif 000017
2018502790.tif 000018
2018502790.tif 000019
2018502790.tif 000020